【手続補正書】
【提出日】平成18年3月20日(2006.3.20)
【手続補正１】
【補正対象書類名】特許請求の範囲
【補正対象項目名】全文
【補正方法】変更
【補正の内容】
【特許請求の範囲】
【請求項１】
オーディオ信号を処理する方法であって、
前記オーディオ信号のスペクトル成分の一部を有するベースバンド信号の周波数領域における表現を取得するステップと、
ベースバンド信号に含まれないオーディオ信号のスペクトル成分を有する残余の信号のスペクトル包絡線の推定値を取得するステップと、
前記残余の信号におけるノイズ成分の程度からノイズ混入パラメータを導き出すステップと、
前記ベースバンド信号の周波数領域における表現を表すデータと、前記スペクトル包絡線の推定値を表すデータと、前記ノイズ混入パラメータを表すデータとを、伝送又は記憶させるのに適切な出力信号に組み立てるステップと、
を具備するオーディオ信号を処理する方法。
【請求項２】
前記ベースバンド信号の周波数領域における表現は、長さが変化する信号部分を表現するために取得される請求項１に記載の方法。
【請求項３】
前記ベースバンド信号の周波数領域における表現を取得するために時間領域エイリアシングを削除する変換を適用するステップを具備する請求項２に記載の方法。
【請求項４】
オーディオ信号の周波数領域における表現を取得するステップと、
前記オーディオ信号の周波数領域における表現の１部から前記ベースバンド信号の周波数領域における表現を取得するステップと、
を具備する請求項１に記載の方法。
【請求項５】
前記オーディオ信号を表現する複数のサブバンド信号を取得するステップと、
前記複数のサブバンド信号の一部が含まれる１以上のサブバンド信号の第１の集合に対して第１の分析フィルタバンクを適用することにより、前記ベースバンド信号の周波数領域における表現を取得するステップと、
前記サブバンド信号の第１の集合に含まれない１以上のサブバンド信号の第２の集合に対して第２の分析フィルタバンクを適用することにより得られた信号を分析することにより、前記残余の信号のスペクトル包絡線の推定値を取得するステップと、
を具備する請求項１に記載の方法。
【請求項６】
前記サブバンド信号の第２の集合の時間包絡線の推定値の逆変換により前記サブバンド信号の第２の集合を修正することで、前記サブバンド信号の第２の集合の時間的に平坦化された表現を取得するステップであって、前記残余の信号のスペクトル包絡線の推定値と前記ノイズ混入パラメータとは、前記サブバンド信号の第２の集合の前記時間的に平坦化された表現に応答して得られる、ステップと、
前記サブバンド信号の第２の集合の前記時間包絡線の推定値を表現する出力信号を、データから組み立てるステップと、
を具備する請求項５に記載の方法。
【請求項７】
前記サブバンド信号の第１の集合の時間包絡線の推定値の逆変換により前記サブバンド信号の第１の集合を修正することで、前記サブバンド信号の第１の集合の時間的に平坦化された表現を取得するステップであって、前記ベースバンド信号の前記周波数領域における表現は、前記サブバンド信号の第１の集合の前記時間的に平坦化された表現に応答して得られる、ステップと、
前記サブバンド信号の第１の集合の前記時間包絡線の推定値を表現する出力信号を、データから組み立てるステップと、
を具備する請求項６に記載の方法。
【請求項８】
オーディオ信号を処理する方法であって、
前記オーディオ信号を表現する複数のサブバンド信号を取得するステップと、
前記複数のサブバンド信号の一部が含まれる１以上のサブバンド信号の第１の集合に対して第１の分析フィルタバンクを適用することにより、ベースバンド信号の周波数領域における表現を取得するステップと、
前記サブバンド信号の第２の集合の時間包絡線の推定値の逆変換により前記サブバンド信号の第２の集合を修正することで、前記サブバンド信号の第１の集合に含まれない１以上のサブバンド信号の第２の集合の時間的に平坦化された表現を取得するステップと、
前記サブバンドの第２の集合の時間的に平坦化された表現のスペクトル包絡線の推定値を取得するステップと、
前記前記サブバンド信号の第２の集合の前記時間的に平坦化された表現におけるノイズ量の計測値からノイズ混入パラメータを算出するステップと、
前記ベースバンド信号の周波数領域における表現を表すデータとスペクトル包絡線の推定値とノイズ混入パラメータとから伝送又は記憶に適した出力信号を組み立てるステップと、
を具備するオーディオ信号を処理する方法。
【請求項９】
再構成されたオーディオ信号を生成する方法であって、
前記オーディオ信号から算出したベースバンド信号を表すデータと、スペクトル包絡線の推定値と、前記オーディオ信号のノイズ量の計測値から算出したノイズ混入パラメータとを含む信号を受信するステップと、
前記ベースバンド信号の周波数領域における表現を前記データから取得するステップと、
前記ベースバンド信号の周波数領域におけるスペクトル成分を変換することにより再生成されたスペクトル成分からなる再生成された信号を取得するステップと、
前記再生成された信号内で位相の整合性を保つために、前記再生成されたスペクトル成分の位相を調整するステップと、
ノイズ混入パラメータに応じたノイズ信号を取得し、前記スペクトル包絡線の推定値とノイズ混入パラメータとに応じて前記再生成されたスペクトル成分の振幅を調整することにより前記再生成された信号を修正し、修正された前記再生成された信号と前記ノイズ信号とを結合することにより再生成されて調整された信号を取得するステップと、
前記再生成されて調整された信号における前記スペクトル成分と、前記ベースバンド信号の周波数領域における表現のスペクトル成分との結合に応じて再構成された信号の時間領域における表現を取得するステップと、
を具備する再構成されたオーディオ信号を生成する方法。
【請求項１０】
長さが異なる再構成された信号の成分を表現するために、前記再構成された信号の前記時間領域における表現を取得するステップを具備する請求項９に記載の方法。
【請求項１１】
前記再構成された信号の時間領域における前記表現を取得するために、時間領域エイリアシングを削除する合成変換を適用するステップを具備する請求項１０に記載の方法。
【請求項１２】
変換されるスペクトル成分を変更することにより、又は、スペクトル成分を変換するための周波数量を変更することにより行うスペクトル成分の変換を適用するステップであって、前記ベースバンド信号の前記周波数領域における表現は一括して配置され、変換結果再生成されたスペクトル成分が非可聴であると判断されるとき、スペクトル成分の変換がなされる、ステップを具備する請求項９に記載の方法。
【請求項１３】
スペクトル成分が周波数に実質的に逆比例して変化する大きさを持つような方法でノイズ信号を取得する請求項９に記載の方法。
【請求項１４】
前記再生成されて調整された信号のスペクトル成分と前記ベースバンド信号の前記周波数領域における表現のスペクトル成分とを結合させることにより再構成された信号を取得するステップと、
前記再構成された信号に合成フィルタバンクを適用することにより前記再構成された信号の前記時間領域における表現を取得するステップと、
を具備する請求項９に記載の方法。
【請求項１５】
前記ベースバンド信号の前記周波数領域における表現に第１の合成フィルタバンクを適用することにより前記ベースバンド信号の時間領域における表現を取得するステップと、
前記再生成されて調整された信号に第２の合成フィルタバンクを適用することにより前記再生成されて調整された信号の時間領域における表現を取得するステップと、
前記ベースバンド信号の時間領域における表現と前記再生成されて調整された信号の時間領域における表現との結合を表すような再構成された信号の時間領域における表現を取得するステップと、
を具備する請求項９に記載の方法。
【請求項１６】
前記データから取得した時間包絡線の推定値に応じて、前記再生成されて調整された信号の時間領域における表現を修正するステップと、
前記ベースバンド信号の時間領域における表現と前記再生成されて調整された信号の時間領域における修正された表現とを結合させることにより、前記再構成された信号を取得するステップと、
を具備する請求項１５に記載の方法。
【請求項１７】
前記データから取得したもう１つの時間包絡線の推定値に応じて、前記ベースバンド信号の時間領域における表現を修正するステップと、
前記ベースバンド信号の時間領域における修正された表現と前記再生成されて調整された信号の時間領域における修正された表現とを結合することにより前記再構成された信号を取得するステップと、
を具備する請求項１６に記載の方法。
【請求項１８】
再構成されたオーディオ信号を生成する方法であって、
前記オーディオ信号から算出したベースバンド信号とスペクトル包絡線の推定値と時間包絡線の推定値とノイズ混入パラメータとを表すデータを含む信号を受信するステップと、
前記データから前記ベースバンド信号の周波数領域における表現を取得するステップと、
前記ベースバンド信号の周波数領域におけるスペクトル成分を変換することにより再生成されたスペクトル成分からなる再生成された信号を取得するステップと、
前記再生成された信号内で位相の整合性を保つために、前記再生成されたスペクトル成分の位相を調整するステップと、
ノイズ混入パラメータ応じたノイズ信号を取得するステップと、
前記スペクトル包絡線の推定値に応じて前記再生成されたスペクトル成分の振幅を調整し前記ノイズ信号と結合することにより再生成されて調整された信号を取得するステップと、
前記ベースバンド信号の周波数領域における表現に第１の合成フィルタバンクを適用することにより、前記ベースバンド信号の時間領域における表現を取得するステップと、
前記再生成されて調整された信号に第２の合成フィルタバンクを適用し、前記時間包絡線の推定値に応じた修正を適用することにより前記再生成されて調整された信号の時間領域における表現を取得するステップと、
前記ベースバンド信号の時間領域における表現と前記再生成されて調整された信号の時間領域における修正された表現との結合を表すような、再構成された信号の時間領域における表現を取得するステップと、
を具備する再構成されたオーディオ信号を生成する方法。
【請求項１９】
オーディオ信号の処理方法を実行する装置により読み込み可能な媒体であり、かつ、当該装置に処理方法を実行させるための１以上の命令プログラムを伝達する媒体であって、
前記処理方法は、
前記オーディオ信号のスペクトル成分の一部を有するベースバンド信号の周波数領域における表現を取得するステップと、
ベースバンド信号に含まれないオーディオ信号のスペクトル成分を有する残余の信号のスペクトル包絡線の推定値を取得するステップと、
前記残余の信号におけるノイズ成分の程度からノイズ混入パラメータを導き出すステップと、
前記ベースバンド信号の周波数領域における表現を表すデータと、前記スペクトル包絡線の推定値を表すデータと、前記ノイズ混入パラメータを表すデータとから、伝送又は記憶させるのに適切な出力信号を組み立てるステップと、
を具備する媒体。
【請求項２０】
前記処理方法は、
前記オーディオ信号の周波数領域における表現を取得するステップと、
前記オーディオ信号の周波数領域における表現の一部から前記ベースバンド信号の周波数領域における表現を取得するステップと、
を具備する請求項１９に記載の媒体。
【請求項２１】
前記処理方法は、
前記オーディオ信号を表す複数のサブバンド信号を取得するステップと、
前記複数のサブバンド信号の一部が含まれる１以上のサブバンド信号の第１の集合に対して第１の分析フィルタバンクを適用することにより、前記ベースバンド信号の周波数領域における表現を取得するステップと、
前記サブバンド信号の第１の集合に含まれない１以上のサブバンド信号の第２の集合に対して第２の分析フィルタバンクを適用することにより得られた信号を分析することにより、前記残余の信号のスペクトル包絡線の推定値を取得するステップと、
を具備する請求項１９に記載の媒体。
【請求項２２】
前記処理方法は、
前記サブバンド信号の第２の集合の時間包絡線の推定値の逆変換により前記サブバンド信号の第２の集合を修正することで、前記サブバンド信号の第２の集合の時間的に平坦化された表現を取得するステップであって、前記残余の信号のスペクトル包絡線の推定値と前記ノイズ混入パラメータとは、前記サブバンド信号の第２の集合の前記時間的に平坦化された表現に応答して得られる、ステップと、
前記サブバンド信号の第２の集合の前記時間包絡線の推定値を表現する出力信号を、データから組み立てるステップと、
を具備する請求項２１に記載の媒体。
【請求項２３】
前記処理方法は、
前記サブバンド信号の第１の集合の時間包絡線の推定値の逆変換により前記サブバンド信号の第１の集合を修正することで、前記サブバンド信号の第１の集合の時間的に平坦化された表現を取得するステップであって、前記ベースバンド信号の前記周波数領域における表現は、前記サブバンド信号の第１の集合の前記時間的に平坦化された表現に応答して得られる、ステップと、
前記サブバンド信号の第１の集合の前記時間包絡線の推定値を表現する出力信号を、データから組み立てるステップと、
を具備する請求項２２に記載の媒体。
【請求項２４】
オーディオ信号の処理方法を実行する装置により読み込み可能な媒体であり、かつ、当該装置に処理方法を実行させるための１以上の命令プログラムを伝達する媒体であって、
前記処理方法は、
前記オーディオ信号を表現する複数のサブバンド信号を取得するステップと、
前記複数のサブバンド信号の一部が含まれる１以上のサブバンド信号の第１の集合に対して第１の分析フィルタバンクを適用することにより、ベースバンド信号の周波数領域における表現を取得するステップと、
前記サブバンド信号の第２の集合の時間包絡線の推定値の逆変換により前記サブバンド信号の第２の集合を修正することで、前記サブバンド信号の第１の集合に含まれない１以上のサブバンド信号の第２の集合の時間的に平坦化された表現を取得するステップと、
前記サブバンドグループの第２の集合の時間的に平坦化された表現のスペクトル包絡線の推定値を取得するステップと、
前記前記サブバンド信号の第２の集合の前記時間的に平坦化された表現におけるノイズ量の計測値からノイズ混入パラメータを算出するステップと、
前記ベースバンド信号の周波数領域における表現を表すデータとスペクトル包絡線の推定値とノイズ混入パラメータとから伝送又は記憶に適した出力信号を組み立てるステップと、
を具備する媒体。
【請求項２５】
再構成されたオーディオ信号を生成する方法を実行する装置により読み込み可能な媒体であり、かつ、当該装置に再構成されたオーディオ信号を生成する方法を実行させるための１以上の命令プログラムを伝達する媒体であって、
前記方法は、
前記オーディオ信号から算出したベースバンド信号を表すデータと、スペクトル包絡線の推定値と、前記オーディオ信号のノイズ量の計測値から算出したノイズ混入パラメータとを含む信号を受信するステップと、
前記ベースバンド信号の周波数領域における表現を前記データから取得するステップと、
前記ベースバンド信号の周波数領域におけるスペクトル成分を変換することにより再生成されたスペクトル成分からなる再生成された信号を取得するステップと、
前記再生成された信号内で位相の整合性を保つために、前記再生成されたスペクトル成分の位相を調整するステップと、
ノイズ混入パラメータ応じたノイズ信号を取得し、前記スペクトル包絡線の推定値とノイズ混入パラメータとに応じた前記再生成されたスペクトル成分の振幅を調整することにより前記再生成された信号を修正し、修正された前記再生成された信号と前記ノイズ信号とを結合することにより再生成されて調整された信号を取得するステップと、
前記再生成されて調整された信号における前記スペクトル成分と、前記ベースバンド信号の周波数領域における表現のスペクトル成分との結合に応じて再構成された信号の時間領域における表現を取得するステップと、
を具備する媒体。
【請求項２６】
前記方法において、スペクトル成分が周波数に実質的に逆比例して変化する大きさを持つような方法でノイズ信号を取得する、請求項２５に記載の媒体。
【請求項２７】
前記方法は、
前記再生成されて調整された信号のスペクトル成分と前記ベースバンド信号の前記周波数領域における表現のスペクトル成分とを結合させることにより再構成された信号を取得するステップと、
前記再構成された信号に合成フィルタバンクを適用することにより前記再構成された信号の前記時間領域における表現を取得するステップと、
を具備する請求項２５に記載の媒体。
【請求項２８】
前記方法は、
前記ベースバンド信号の前記周波数領域における表現に第１の合成フィルタバンクを適用することにより前記ベースバンド信号の時間領域における表現を取得するステップと、
前記再生成されて調整された信号に第２の合成フィルタバンクを適用することにより前記再生成されて調整された信号の時間領域における表現を取得するステップと、
前記ベースバンド信号の時間領域における表現と前記再生成されて調整された信号の時間領域における表現との結合を表すような再構成された信号の時間領域における表現を取得するステップと、
を具備する請求項２５に記載の媒体。
【請求項２９】
前記方法は、
前記データから取得した時間包絡線の推定値に応じて、前記再生成されて調整された信号の時間領域における表現を修正するステップと、
前記ベースバンド信号の時間領域における表現と前記再生成されて調整された信号の時間領域における修正された表現とを結合させることにより、前記再構成された信号を取得するステップと、
を具備する請求項２８に記載の媒体。
【請求項３０】
前記方法は、
前記データから取得したもう１つの時間包絡線の推定値に応じて、前記ベースバンド信号の時間領域における表現を修正するステップと、
前記ベースバンド信号の時間領域における修正された表現と前記再生成されて調整された信号の時間領域における修正された表現とを結合することにより前記再構成された信号を取得するステップと、
を具備する請求項２９に記載の媒体。
【請求項３１】
再構成されたオーディオ信号を生成する方法を実行する装置により読み込み可能で、当該装置に再構成されたオーディオ信号を生成する方法を実行させるための１以上の命令プログラムを伝達する媒体であって、
前記オーディオ信号から算出したベースバンド信号とスペクトル包絡線の推定値と時間包絡線の推定値とノイズ混入パラメータとを表すデータを含む信号を受信するステップと、
前記データから前記ベースバンド信号の周波数領域における表現を取得するステップと、
前記ベースバンド信号の周波数領域におけるスペクトル成分を変換することにより再生成されたスペクトル成分からなる再生成された信号を取得するステップと、
前記再生成された信号内で位相の整合性を保つために、前記再生成されたスペクトル成分の位相を調整するステップと、
ノイズ混入パラメータ応じたノイズ信号を取得するステップと、
前記スペクトル包絡線の推定値に応じて前記再生成されたスペクトル成分の振幅を調整し前記ノイズ信号と結合することにより再生成されて調整された信号を取得するステップと、
前記ベースバンド信号の周波数領域における表現に第１の合成フィルタバンクを適用することにより、前記ベースバンド信号の時間領域における表現を取得するステップと、
前記再生成されて調整された信号に第２の合成フィルタバンクを適用し、前記時間包絡線の推定値に応じた修正を適用することにより前記再生成されて調整された信号の時間領域における表現を取得するステップと、
前記ベースバンド信号の時間領域における表現と前記再生成されて調整された信号の時間領域における修正された表現との結合を表すような、再構成された信号の時間領域における表現を取得するステップと、
を具備する媒体。
【請求項３２】
オーディオ信号の処理方法により生成された出力信号を伝達する媒体であって、
前記処理方法は、
前記オーディオ信号のスペクトル成分の一部を有するベースバンド信号の周波数領域における表現を取得するステップと、
ベースバンド信号に含まれないオーディオ信号のスペクトル成分を有する残余の信号のスペクトル包絡線の推定値を取得するステップと、
前記残余の信号におけるノイズ成分の程度からノイズ混入パラメータを導き出すステップと、
前記ベースバンド信号の周波数領域における表現を表すデータと、前記スペクトル包絡線の推定値を表すデータと、前記ノイズ混入パラメータを表すデータとから、前記媒体によって伝達される出力信号を組み立てるステップと、
を具備する媒体。
【請求項３３】
前記処理方法は、
時間包絡線の推定値の逆変換により時間的に平坦化された前記オーディオ信号の少なくとも１つの時間的に平坦化された表現を取得するステップであって、前記スペクトル包絡線の推定値と前記ノイズ混入パラメータとは前記時間的に平坦化された表現に応答して得られる、ステップと、
データから時間包絡線を組み立てるステップと、
を具備する請求項３２に記載の媒体。
【手続補正２】
【補正対象書類名】明細書
【補正対象項目名】００１２
【補正方法】変更
【補正の内容】
【００１２】
本発明の他の特徴によれば、ベースバンド信号を表現するデータとスペクトル包絡線の推定値とノイズ混入パラメータとを含む信号を受信し、周波数領域で表現したベースバンド信号をこのデータから取得し、周波数領域におけるベースバンドのスペクトル成分に変換することにより復元されたスペクトル成分からなる復元された成分を取得し、復元された信号内で位相の整合性を維持するために復元されたスペクトル成分の位相を調整し、ノイズ混入パラメータに応答してノイズ信号を取得することにより復元され調整された信号を取得して、スペクトル包絡線の推定値とノイズ混入パラメータに従い復元されたスペクトル成分を調整することで復元された信号を修正し、そして、ノイズ信号と修正された復元された信号とを結合させ、周波数領域で表現したベースバンド信号のスペクトル成分に合致させた復元された信号のスペクトル成分の結合に対応する時間領域での表現を表す復元された信号を取得することにより、受信器においてオーディオ信号が再構成される。
【手続補正３】
【補正対象書類名】明細書
【補正対象項目名】００５３
【補正方法】変更
【補正の内容】
【００５３】
合成フィルタバンク８２５は再構成された信号の周波数領域における表現を時間領域での表現に変換する。このフィルタバンクはどんな方法ででも実行され得るが、送信器１３６で用いられたフィルタバンク７０５と反対にしなければならない。上述の好ましい実施例において受信器１４２は、修正された逆ＤＣＴを適用したＯ−ＴＤＡＣ合成を用いる。